(57)【要約】【課題】ユーザの要望に合わせて印刷速度を変化させることができるようにして、ユーザの利便性を向上させることができるようにする。【解決手段】時刻を計時する計時部１６と、設定された時間帯及び該時間帯と対応付けられた印刷速度を格納する記憶部と、印刷速度が変更可能な印刷機構部１７と、前記計時部１６が計時した時刻と前記設定された時間帯に基づいて対応する印刷速度を前記記憶部から取得し、前記印刷速度で前記印刷機構部１７に印刷を行わせる印刷制御部とを有する。【選択図】図１
2006240103.tif 000002
【特許請求の範囲】
【請求項１】
（ａ）時刻を計時する計時部と、
（ｂ）設定された時間帯及び該時間帯と対応付けられた印刷速度を格納する記憶部と、
（ｃ）印刷速度が変更可能な印刷機構部と、
（ｄ）前記計時部が計時した時刻と前記設定された時間帯に基づいて対応する印刷速度を前記記憶部から取得し、前記印刷速度で前記印刷機構部に印刷を行わせる印刷制御部とを有することを特徴とする印刷装置。
【請求項２】
（ａ）照度を検出する照度検出部と、
（ｂ）設定された照度値及び該照度値と対応付けられた印刷速度を格納する記憶部と、
（ｃ）印刷速度が変更可能な印刷機構部と、
（ｄ）前記照度検出部が検出した照度に対応する印刷速度を前記記憶部から取得し、前記印刷速度で前記印刷機構部に印刷を行わせる印刷制御部とを有することを特徴とする印刷装置。
【発明の詳細な説明】
【技術分野】
【０００１】
本発明は、印刷装置に関するものである。
【背景技術】
【０００２】
従来、印刷装置においては、受信データを高速に印刷することができることが性能の高さを示す一つの要素となっている。そのために、画像形成の高速化、記録紙の給紙や搬送の高速化を行うとともに、それらの機構部の制御能力や、印刷データのデータ処理能力を向上させることによって、印刷速度の高速化を実現している（例えば、特許文献１参照。）。
【特許文献１】特開平５−２２１０２５号公報
【発明の開示】
【発明が解決しようとする課題】
【０００３】
しかしながら、前記従来の印刷装置においては、印刷速度を高速化することによって、印刷機構部のモータやギヤの音、給紙に伴う記録紙の摩擦音等が大きくなり、騒音が大きくなってしまう。そのため、会社、オフィス等において、ユーザが印刷装置の周辺で業務を行う昼間には、不快に感じる騒音を抑えるために印刷速度を低く抑え、ユーザが帰宅して印刷装置の周辺に誰もいなくなる夜間には、高い印刷速度で大量の印刷を素早く行いたいという要望がある。
【０００４】
また、高速で印刷を行うと、印刷装置の印刷機構部に対する負荷が大きくなり、ジャム等のトラブルが発生し易くなってしまう。このため、ユーザが印刷装置を監視することが可能な昼間には高速で印刷を行い、印刷装置を監視する人のいない状態で大量の印刷を行う夜間には、信頼性を向上させるために低速で印刷を行いたいという要望もある。
【０００５】
本発明は、前記従来の印刷装置の問題点を解決して、ユーザの要望に合わせて印刷速度を変化させることができるようにして、ユーザの利便性を向上させることができる印刷装置を提供することを目的とする。
【課題を解決するための手段】
【０００６】
そのために、本発明の印刷装置においては、時刻を計時する計時部と、設定された時間帯及び該時間帯と対応付けられた印刷速度を格納する記憶部と、印刷速度が変更可能な印刷機構部と、前記計時部が計時した時刻と前記設定された時間帯に基づいて対応する印刷速度を前記記憶部から取得し、前記印刷速度で前記印刷機構部に印刷を行わせる印刷制御部とを有する。
【発明の効果】
【０００７】
本発明によれば、印刷装置は、ユーザの要望に合わせて印刷速度を変化させることができるようになっている。そのため、ユーザの利便性を向上させることができる。
【発明を実施するための最良の形態】
【０００８】
以下、本発明の実施の形態について図面を参照しながら詳細に説明する。
【０００９】
図１は本発明の第１の実施の形態における印刷装置の構成を示すブロック図である。
【００１０】
図において、１０は印刷装置であり、２０は該印刷装置１０と通信可能に接続された印刷装置１０の上位装置、すなわち、ホストとしてのパーソナルコンピュータ（以下「ホストＰＣ」という。）である。ここで、前記印刷装置１０は、電子写真式印刷装置、インパクト・ドット方式印刷装置、インクジェット方式印刷装置、熱転写式印刷装置等いかなる種類の印刷装置であってもよく、さらに、モノクロ印刷装置であってもよいし、カラー印刷装置であってもよい。また、印刷装置１０の上位装置は、印刷装置１０へ情報を送信する機能を備え、印刷装置１０への印刷の依頼、印刷装置１０への印刷データの送信等を行うことができる装置であれば、例えば、サーバ、ＰＤＡ（Ｐｅｒｓｏｎａｌ  Ｄｉｇｉｔａｌ  Ａｓｓｉｓｔｎａｔ）等、いかなる種類の装置であってもよいが、ここではパーソナルコンピュータであるものとして説明する。
【００１１】
そして、前記印刷装置１０は、ホストＰＣ２０に接続され、該ホストＰＣ２０からの印刷データを受信するインターフェイス部１１、各種演算を行う演算処理手段であって印刷制御部としてのＣＰＵ部１２、ユーザによる設定や印刷装置１０の状態によって変動する情報を保持する記憶部としてのＲＡＭ部１３、印刷装置１０の電源を投入した際に必要となる情報や、後述される印刷機構部１７に印刷速度を設定するための情報を固定値として保持する記憶部としてのＲＯＭ部１４、印刷速度の設定及び該設定を有効とする時刻範囲を設定するために、メッセージ表示装置や入力ボタンを備える操作パネル部１５、時刻を計時する計時部１６、印刷可能なデータに変換された印刷データを印刷するための印刷ハードウェアを備え、更に、印刷速度を変更することが可能な印刷機構部１７、並びに、印刷装置１０内の各装置間で通信を行う通信回路としてのシステムバス１８を有する。
【００１２】
次に、前記ＲＡＭ部１３が保持する情報について説明する。
【００１３】
図２は本発明の第１の実施の形態におけるＲＡＭ部の保持情報構成を示す図である。
【００１４】
本実施の形態において、前記ＲＡＭ部１３の保持情報構成は、図２に示されるようになっている。ここで、１３ａはホストＰＣ２０からインターフェイス部１１を経由して受信した印刷データを蓄積する印刷データ受信バッファであり、１３ｂは受信した印刷データを印刷ハードウェアが印刷可能なデータに変換する印刷データ編集バッファであり、１３ｃは通常運用時に適用する印刷速度の設定を保持する通常印刷速度情報であり、１３ｄは時間帯によって印刷速度を指定するために必要となる情報によって構成される印刷速度指定時間帯情報である。
【００１５】
そして、前記通常印刷速度情報１３ｃは、時間帯指定されていない通常の印刷を行う場合、高速又は低速のどちらの印刷を行うかを示す情報が格納されていて、高速であるときは１分間に２２枚、低速であるときは１分間に１２枚の印刷速度を印刷機構部１７に設定するような処理を行う。
【００１６】
また、前記印刷速度指定時間帯情報１３ｄは、指定時間帯の間、指定印刷速度によって印刷を行う機能の有効情報及び無効情報を格納する機能情報格納部、指定時間帯に適用する印刷速度の設定を保持する印刷速度格納部、該印刷速度格納部に格納された印刷速度情報を適用する時間帯の開始時刻を格納する開始時刻格納部、並びに、前記印刷速度格納部に格納された印刷速度情報を適用する時間帯の終了時刻を格納する終了時刻格納部を有する。
【００１７】
そして、前記機能情報格納部には有効又は無効のどちらかを示す情報が格納され、前記印刷速度格納部には高速又は低速のどちらかを示す情報が格納され、前記開始時刻格納部には２４時間表現、すなわち、０〜２３の範囲の時情報と０〜５９までの範囲の分情報が格納され、前記終了時刻格納部には０〜２３の範囲の時情報と０〜５９までの範囲の分情報が格納される。また、前記印刷速度格納部には高速又は低速のどちらかを示す情報が格納され、実際の印刷時には、ＲＯＭ部１４の印刷速度変換情報に照らし合わせることによって印刷機構部１７に設定する印刷速度が決定される。
【００１８】
次に、前記ＲＯＭ部１４が保持する情報について説明する。
【００１９】
図３は本発明の第１の実施の形態におけるＲＯＭ部の保持情報構成を示す図である。
【００２０】
本実施の形態において、前記ＲＯＭ部１４の保持情報構成は、図３に示されるようになっている。ここで、１４ａは印刷装置１０の電源投入時、ＲＡＭ部１３に各領域を確保するために必要となるＲＡＭ部領域情報であり、１４ｂは印刷装置１０の電源投入時、ＲＡＭ部１３の領域に格納する初期値としてのＲＡＭ部初期値情報であり、１４ｃは前記印刷機構部１７の印刷速度設定を得るための情報テーブルとしての印刷速度設定変換情報である。
【００２１】
そして、前記ＲＡＭ部領域情報１４ａは、ＲＡＭ部１３に確保される印刷データ受信バッファ１３ａの配置場所及びサイズを固定値として保持する印刷データ受信バッファ領域部、ＲＡＭ部１３に確保される印刷データ編集バッファ１３ｂの配置場所及びサイズを固定値として保持する印刷データ編集バッファ領域部、ＲＡＭ部１３に確保される通常印刷速度情報１３ｃの配置場所及びサイズを固定値として保持する通常印刷速度情報領域部、並びに、ＲＡＭ部１３に確保される印刷速度指定時間帯情報１３ｄの配置場所及びサイズを固定値として保持する印刷速度指定時間帯情報領域部を有する。
【００２２】
また、前記ＲＡＭ部初期値情報１４ｂは、通常印刷速度装置１３ｃの初期値としての通常印刷速度情報初期値、及び、印刷速度指定時間帯情報１３ｄの初期値としての印刷速度指定時間帯情報初期値を有する。そして、前記通常印刷速度情報初期値には、高速又は低速のどちらかを示す情報が格納され、具体的にどの値を初期値にするのかは印刷装置１０の納入先の要望によって決定される。また、印刷速度指定時間帯情報初期値には、機能情報格納部用に有効又は無効、印刷速度格納部用に高速又は低速、開始時刻格納部及び終了時刻格納部用に０〜２３の範囲の時情報と０〜５９までの範囲の分情報とが格納され、具体的にどの値を初期値にするのかは印刷装置１０の納入先の要望によって決定される。
【００２３】
さらに、前記印刷速度設定変換情報１４ｃにおいては、通常印刷速度情報１３ｃ及び印刷速度指定時間帯情報１３ｄにある情報が高速である場合は１分間に２２枚、低速である場合は１分間に１２枚の印刷速度で印刷機構部１７が動作する設定値を得るように定義される。これにより、印刷速度内容が高速であった場合には１分間に２２枚、また、低速であった場合には１分間に１２枚の印刷速度設定を印刷機構部１７に対して行うことが可能となる。
【００２４】
次に、前記構成の印刷装置１０の動作について説明する。まず、該印刷装置１０の実行する処理工程について説明する。
【００２５】
図４は本発明の第１の実施の形態における印刷装置の処理工程を示す図である。
【００２６】
本実施の形態において、印刷装置１０の実行する処理工程は、図４に示されるように、ユーザ設定工程及び印刷処理工程に分けられ、印刷処理工程は更に印刷データ受信工程、検出工程、印刷設定工程、印刷データ編集工程及び印刷工程に分けられる。
【００２７】
まず、ユーザ設定工程においては、通常印刷を行う場合の印刷速度の設定、特定時間帯に適用する印刷速度の設定、前記特定時間帯の設定、及び、該特定時間帯に印刷速度を指定する機能そのものの有効／無効を設定する。印刷処理工程の印刷データ受信工程においては、ホストＰＣ２０から印刷データが送られてきたことを判断し、印刷データを受信する。
【００２８】
続いて、検出工程においては、前記ユーザ設定工程で設定された情報及び計時部１６の情報に基づいて印刷速度を判断する。また、印刷設定工程においては、前記検出工程で検出した印刷速度指定を実際の印刷速度に適用するために、印刷機構部１７に印刷速度設定を行う。
【００２９】
そして、印刷データ編集工程においては、受信した印刷データを印刷機構部１７で印刷可能なデータ形式に変換する。さらに、印刷工程においては、印刷機構部１７に印刷可能なデータを渡すことによって印刷を行う。
【００３０】
次に、印刷装置１０の電源投入時の動作について説明する。なお、説明中において、「」で括られたものはＲＡＭ部１３又はＲＯＭ部１４に確保された領域を指し、“”で括られたものはその領域に設定されるパラメータを示す。
【００３１】
図５は本発明の第１の実施の形態における印刷装置の電源投入時の動作を示すフローチャートである。
【００３２】
電源が投入されると、印刷装置１０は、まず、ＲＯＭ部１４からＲＡＭ部領域情報１４ａを読み出す。続いて、読み出したＲＡＭ部領域情報１４ａに基づいて、ＲＡＭ部１３の領域確保を行う。この場合、「印刷データ受信バッファ１３ａ」、「印刷データ編集バッファ１３ｂ」、「通常印刷速度情報１３ｃ」及び「印刷速度指定時間帯情報１３ｄ」の領域確保を行う。
【００３３】
続いて、印刷装置１０は、ＲＯＭ部１４からＲＡＭ部初期値情報１４ｂを読み出す。そして、ＲＡＭ部１３に確保した「通常印刷速度情報１３ｃ」及び「印刷速度指定時間帯情報１３ｄ」に初期値を格納して、処理を終了する。本実施の形態においては、「通常印刷速度情報１３ｃ」に“低速”を格納し、「印刷速度指定時間帯情報１３ｄ」内の「機能情報格納部」に“有効”を格納し、「印刷速度指定時間帯情報１３ｄ」内の「印刷速度格納部」に“高速”を格納し、「印刷速度指定時間帯情報１３ｄ」内の「開始時刻格納部」に“１９：００”を格納し、「印刷速度指定時間帯情報１３ｄ」内の「終了時刻格納部」に“０８：００”を格納するものとする。
【００３４】
次に、フローチャートについて説明する。
ステップＳ１  ＲＯＭ部１４からＲＡＭ部領域情報１４ａを読み出す。
ステップＳ２  ＲＡＭ部１３の領域確保を行う。
ステップＳ３  ＲＯＭ部１４からＲＡＭ部初期値情報１４ｂを読み出す。
ステップＳ４  ＲＡＭ部１３に確保した通常印刷速度情報１３ｃ及び印刷速度指定時間帯情報１３ｄの初期値を格納し、処理を終了する。
【００３５】
次に、通常印刷速度を設定する動作について説明する。
【００３６】
図６は本発明の第１の実施の形態における通常印刷速度を設定する際の操作パネル部のメッセージ表示装置が表示する画面の例を示す図、図７は本発明の第１の実施の形態における通常印刷速度を設定する動作を示すフローチャートである。
【００３７】
まず、印刷装置１０は、操作パネル部１５のメッセージ表示装置に通常印刷に適用する印刷速度の選択を促すメッセージを表示する。そして、メッセージ表示装置の画面は、通常印刷速度の設定を行うために“低速”又は“高速”の選択画面に移行する。ユーザは、通常印刷速度の設定画面から“低速”又は“高速”の選択を行い、印刷速度“高速”又は“低速”のどちらかを選択する。なお、本実施の形態においては“低速”を選択したものとする。この場合、図６に示されるようなメッセージがメッセージ表示装置の画面に表示される。
【００３８】
続いて、印刷装置１０は、入力された情報をＲＡＭ領域にある通常印刷速度部に格納する。すなわち、決定した設定を、ＲＡＭ部１３に確保された「通常印刷速度情報１３ｃ」領域に格納する。そして、通常印刷速度の入力が完了すると、設定画面を終了する。ここで、ＲＯＭ部１４がフラッシュメモリ等の書き換え可能なものである場合には、印刷装置１０の電源を再投入した後も同じ設定になるように、ＲＯＭ部１４の「ＲＡＭ部初期値情報１４ｂ」を書き換えてもよい。
【００３９】
次に、フローチャートについて説明する。
ステップＳ１１  操作パネル部１５に通常印刷に適用する印刷速度の選択を促すメッセージを表示する。
ステップＳ１２  印刷速度“高速”又は“低速”のどちらかを選択する。
ステップＳ１３  入力された情報をＲＡＭ領域にある通常印刷速度部に格納し、処理を終了する。
【００４０】
次に、印刷速度指定時間帯を設定する動作について説明する。
【００４１】
図８は本発明の第１の実施の形態における印刷速度指定時間帯を設定する際の操作パネル部のメッセージ表示装置が表示する画面の例を示す図、図９は本発明の第１の実施の形態における印刷速度指定時間帯を設定する動作を示すフローチャートである。
【００４２】
まず、印刷装置１０は、操作パネル部１５のメッセージ表示装置に印刷速度指定時間帯の機能を有効又は無効にする選択画面を表示する。ユーザは、機能を“有効”にするか、又は、“無効”にするかのどちらかを選択する。ここで、印刷速度指定時間帯の機能を有効にする場合は“有効”を選択し、無効にする場合は“無効”を選択する。なお、本実施の形態においては、“有効”を選択したものとする。この場合、図８（ａ）に示されるようなメッセージがメッセージ表示装置の画面に表示される。
【００４３】
続いて、印刷装置１０は、入力された機能の有効・無効情報を所定のＲＡＭ部１３の領域に記憶する。すなわち、ユーザが決定した設定は、ＲＡＭ部１３に確保された「印刷速度指定時間帯情報１３ｄ」領域の「機能情報格納部」に格納される。そして、印刷装置１０は、“有効”を選択したか否かを判断する。ここで、“有効”を選択していない場合、すなわち、“無効”を示す情報を格納した場合、印刷装置１０は、以降の設定を行わず、設定処理を終了する。
【００４４】
また、印刷速度指定時間帯の機能選択表示で“有効”を選択した場合には、印刷速度の選択表示に移行する。そして、印刷装置１０は、操作パネル部１５のメッセージ表示装置に、時間帯に適用したい印刷速度の選択を促すメッセージを表示する。ユーザは、印刷速度を“高速”にするか、又は、“低速”にするかのどちらかを選択する。そして、印刷速度を高速にする場合は“高速”を選択し、低速にする場合は“低速”を選択する。本実施の形態においては、“高速”を選択したものとする。この場合、図８（ｂ）に示されるようなメッセージがメッセージ表示装置の画面に表示される。
【００４５】
続いて、印刷装置１０は、入力された情報をＲＡＭ部１３の領域にある印刷速度指定時間帯情報１３ｄの印刷速度格納部に格納する。すなわち、ユーザが決定した印刷速度設定は、ＲＡＭ部１３に確保された「印刷速度指定時間帯情報１３ｄ」領域の「印刷速度格納部」に格納される。
【００４６】
そして、印刷速度設定表示で印刷速度を決定した後、その印刷速度を有効とする開始時刻の入力待ち表示に移行する。この場合、印刷装置１０は、操作パネル部１５のメッセージ表示装置に、指定した印刷速度で印字させたい時間帯の開始時刻入力を促すメッセージを表示する。そして、図８（ｃ）に示されるようなメッセージがメッセージ表示装置の画面に表示される。
【００４７】
続いて、ユーザは開始時刻を入力する。そして、開始時刻として２４時間表現、すなわち、０〜２３の範囲の“時”情報と０〜５９までの範囲の“分”情報とを入力する。本実施の形態においては、“１９：００”を入力したものとする。この場合、図８（ｄ）に示されるようなメッセージがメッセージ表示装置の画面に表示される。
【００４８】
続いて、印刷装置１０は、入力された情報をＲＡＭ部１３の領域にある印刷速度指定時間帯情報１３ｄの開始時刻格納部に格納する。すなわち、ユーザが決定した“開始時刻”は、ＲＡＭ部１３に確保された「印刷速度指定時間帯情報１３ｄ」領域の「開始時刻格納部」に格納される。
【００４９】
そして、開始時刻設定表示で開始時刻を決定した後、続いて、その印刷速度を有効とする終了時刻の入力待ち表示に移行する。この場合、印刷装置１０は、操作パネル部１５のメッセージ表示装置に、指定した印刷速度で印字させたい時間帯の終了時刻入力を促すメッセージを表示する。そして、図８（ｅ）に示されるようなメッセージがメッセージ表示装置の画面に表示される。
【００５０】
続いて、ユーザは終了時刻を入力する。そして、終了時刻として２４時間表現、すなわち、０〜２３の範囲の“時”情報と０〜５９までの範囲の“分”情報とを入力する。本実施の形態においては、“０８：００”を入力したものとする。この場合、図８（ｆ）に示されるようなメッセージがメッセージ表示装置の画面に表示される。
【００５１】
続いて、印刷装置１０は、入力された情報をＲＡＭ部１３の領域にある印刷速度指定時間帯情報１３ｄの終了時刻格納部に格納し、設定画面を終了する。すなわち、ユーザが決定した“終了時刻”は、ＲＡＭ部１３に確保された「印刷速度指定時間帯情報１３ｄ」領域の「終了時刻格納部」に格納される。このように、終了時刻設定表示で“終了時刻”の入力を完了すると、設定画面を終了する。ここで、ＲＯＭ部１４がフラッシュメモリ等の書き換え可能なものである場合は、印刷装置１０の電源を再投入した後も同じ設定になるようにＲＯＭ部１４の「ＲＡＭ部初期値情報１４ｂ」を書き換えてもよい。
【００５２】
次に、フローチャートについて説明する。
ステップＳ２１  操作パネル部１５から印刷速度指定時間帯の機能を有効又は無効にする選択画面を表示させる。
ステップＳ２２  機能を“有効”又は“無効”のどちらかを選択する。
ステップＳ２３  入力された機能の有効・無効情報を所定のＲＡＭ部１３の領域に記憶する。
ステップＳ２４  “有効”を選択したか否かを判断する。“有効”を選択した場合はステップＳ２５に進み、“有効”を選択していない場合は処理を終了する。
ステップＳ２５  時間帯に適用したい印刷速度の選択を促すメッセージを表示する。
ステップＳ２６  印刷速度を“高速”又は“低速”のどちらかを選択する。
ステップＳ２７  入力された情報をＲＡＭ部１３の領域にある印刷速度指定時間帯情報１３ｄの印刷速度格納部に格納する。
ステップＳ２８  指定した印刷速度で印字させたい時間帯の開始時刻入力を促すメッセージを表示する。
ステップＳ２９  開始時刻を入力する。
ステップＳ３０  入力された情報をＲＡＭ部１３の領域にある印刷速度指定時間帯情報１３ｄの開始時刻格納部に格納する。
ステップＳ３１  指定した印刷速度で印字させたい時間帯の終了時刻入力を促すメッセージを表示する。
ステップＳ３２  終了時刻を入力する。
ステップＳ３３  入力された情報をＲＡＭ部１３の領域にある印刷速度指定時間帯情報１３ｄの終了時刻格納部に格納し、処理を終了する。
【００５３】
次に、受信印刷データの印刷を行う動作について説明する。
【００５４】
図１０は本発明の第１の実施の形態における受信印刷データの印刷を行う動作を示すフローチャートである。
【００５５】
まず、印刷装置１０は、インターフェイス部１１を経由してホストＰＣ２０から印刷データが送られてくるのを監視する。すなわち、印刷データの受信を開始したか否かの判断を繰り返して行い、ホストＰＣ２０からの印刷データの受信を待機する。そして、印刷装置１０は、印刷データの受信を開始したと判断すると、すなわち、ホストＰＣ２０から印刷データが送られてきたことを検出すると、印刷データ受信バッファ１３ａに蓄積を開始する。
【００５６】
続いて、印刷装置１０は、印刷速度指定時間帯の機能が有効であるか否かを判断する。この場合、ＲＡＭ部１３の「印刷速度指定時間帯情報１３ｄ」内に格納されている「機能情報」を読み出し、それが“有効”に設定されているか否かを判断する。そして、印刷速度指定時間帯の機能が有効である場合、すなわち、「機能情報」が“有効”に設定されている場合、印刷装置１０は、現在の時刻が指定時間帯内であるか否かを判断する。この場合、ＲＡＭ部１３の「印刷速度指定時間帯情報１３ｄ」内の「開始時刻」及び「終了時刻」を読み出し、さらに、計時部１６から読み出した現在の時刻がその範囲内であるか否かを判断する。本実施の形態においては、現在の時刻を２１：００とし、設定は“１９：００”〜“０８：００”としてこれを時間帯範囲とする。
【００５７】
続いて、現在の時刻が指定時間帯内である場合、印刷装置１０は、印刷速度指定時間帯情報１３ｄ内の印刷速度が低速であるか否かを判断する。そして、印刷速度が低速である場合、印刷機構部１７の印刷速度を“低速”に該当する速度に設定する。また、印刷速度が低速でない場合、印刷機構部１７の印刷速度を“高速”に該当する速度に設定する。ここで、印刷装置１０は、ＲＡＭ部１３にある「印刷速度指定時間帯情報１３ｄ」内の「印刷速度」を読み出し、その情報をＲＯＭ部１４にある「印刷速度設定変換情報１４ｃ」と照合することによって獲得した印刷機構部用の印刷速度設定を印刷機構部１７に設定する。これにより、ＲＡＭ部１３にある「印刷速度指定時間帯情報１３ｄ」内の「印刷速度」が“高速”である場合は、例えば、１分間に２２枚の印刷速度、“低速”である場合は、例えば、１分間に１２枚の印刷速度になる。
【００５８】
なお、印刷速度指定時間帯の機能が有効であるか否かを判断して無効である場合、すなわち、ＲＡＭ部１３の「印刷速度指定時間帯情報１３ｄ」内に格納されている「機能情報」が“無効”に設定されている場合、並びに、現在の時刻が指定時間帯であるか否かを判断して指定時間帯でない場合、すなわち、計時部１６から読み出した現在の時刻がＲＡＭ部１３にある「印刷速度指定時間帯情報１３ｄ」内の“開始時刻”及び“終了時刻”の範囲内でない場合、印刷装置１０は、通常印刷速度設定の印刷速度が高速であるか否かを判断する。そして、印刷速度が低速である場合、印刷機構部１７の印刷速度を“低速”に該当する速度に設定する。また、印刷速度が低速でない場合、印刷機構部１７の印刷速度を“高速”に該当する速度に設定する。この場合、印刷装置１０は、ＲＡＭ部１３にある「通常印刷速度情報１３ｃ」内の「印刷速度」を読み出し、その情報をＲＯＭ部１４にある「印刷速度設定変換情報１４ｃ」と照合することによって獲得した印刷機構部用の印刷速度設定を印刷機構部１７に設定する。これにより、ＲＡＭ部１３にある「通常印刷速度情報１３ｃ」内の「印刷速度」が“高速”である場合は、例えば、１分間に２２枚の印刷速度、“低速”である場合は、例えば、１分間に１２枚の印刷速度になる。
【００５９】
そして、印刷機構部１７に印刷速度を設定した後、印刷装置１０は、蓄積された「印刷データ受信バッファ１３ａ」の内容を「印刷データ編集バッファ１３ｂ」上で編集する。続いて、印刷機構部１７が「印刷データ編集バッファ１３ｂ」内のデータを指定印刷速度で印刷を行い、処理を終了する。この場合、印刷データ受信バッファ１３ａ内に蓄積されているデータを適宜印刷データ編集バッファ１３ｂ上に取り出し、印刷機構部１７にある印刷ハードウェアで印刷可能なデータに変換した後、印刷機構部１７に渡すことによって印刷を行う。
【００６０】
次に、フローチャートについて説明する。
ステップＳ４１  印刷データの受信を開始したか否かを判断する。印刷データの受信を開始した場合はステップＳ４２に進み、印刷データの受信を開始していない場合は印刷データの受信を待機する。
ステップＳ４２  受信データを「印刷データ受信バッファ１３ａ」に蓄積を開始する。
ステップＳ４３  印刷速度指定時間帯の機能が有効であるか否かを判断する。印刷速度指定時間帯の機能が有効である場合はステップＳ４４に進み、印刷速度指定時間帯の機能が有効でない場合はステップＳ４６に進む。
ステップＳ４４  現在の時刻が指定時間帯内であるか否かを判断する。現在の時刻が指定時間帯内である場合はステップＳ４５に進み、現在の時刻が指定時間帯内でない場合はステップＳ４６に進む。
ステップＳ４５  印刷速度指定時間帯情報１３ｄ内の印刷速度が低速であるか否かを判断する。印刷速度指定時間帯情報１３ｄ内の印刷速度が低速である場合はステップＳ４７に進み、印刷速度指定時間帯情報１３ｄ内の印刷速度が低速でない場合はステップＳ４８に進む。
ステップＳ４６  通常印刷速度設定の印刷速度が高速であるか否かを判断する。通常印刷速度設定の印刷速度が高速である場合はステップＳ４８に進み、通常印刷速度設定の印刷速度が高速でない場合はステップＳ４７に進む。
ステップＳ４７  印刷機構部１７の印刷速度を“低速”に該当する速度に設定する。
ステップＳ４８  印刷機構部１７の印刷速度を“高速”に該当する速度に設定する。
ステップＳ４９  蓄積された「印刷データ受信バッファ１３ａ」の内容を「印刷データ編集バッファ１３ｂ」上で編集する。
ステップＳ５０  「印刷データ編集バッファ１３ｂ」内のデータを指定印刷速度で印刷機構部１７が印刷を行い、処理を終了する。
【００６１】
このように、本実施の形態においては、各ユーザの要望に合わせて時間帯毎に印刷速度を設定することができるようになっている。そのため、印刷装置１０付近に該印刷装置１０のユーザだけでなく他の作業者も存在しているような時間帯である場合は、印刷装置１０の印刷速度を低く抑える設定を行うことによって、印刷装置１０の騒音が低減し、付近にいる作業者への不快感を抑えることができる。
【００６２】
また、印刷装置１０付近に作業者がいるときは、印刷装置１０にジャム等の障害が発生しても障害をすぐに排除して印刷装置１０を復旧させることができるので、印刷装置１０付近に作業者がいる時間帯である場合には高速印字に設定し、それ以外の場合は障害発生率を低く抑える目的で低速印字に設定することもできる。
【００６３】
次に、本発明の第２の実施の形態について説明する。なお、第１の実施の形態と同じ構造を有するものについては、同じ符号を付与することによって、その説明を省略する。また、前記第１の実施の形態と同じ動作及び効果についても、その説明を省略する。
【００６４】
図１１は本発明の第２の実施の形態における印刷装置の構成を示すブロック図である。
【００６５】
図１１に示されるように、本実施の形態における印刷装置１０は、前記第１の実施の形態における計時部１６に代えて、印刷装置１０付近の明るさを検出する装置としてフォトダイオード、及び、電流検出器を備える照度検出部としての照度計測部１９を有する。また、操作パネル部１５は、印刷速度の設定及びその設定を有効とする照度を設定するためのメッセージ表示装置や入力ボタンを備える。
【００６６】
そして、前記照度計測部１９が計測した照度は単位ルクス（「１ｘ」）で示される。なお、前記照度計測部１９が使用するフォトダイオードは、照度０．０１ルクスで電流が０．００００００００００５アンペア、照度１００ルクスで電流が０．００００００５アンペアのように、照度と電流とが比例関係になっていて、電流から照度を算出することができるタイプのものである。
【００６７】
次に、前記照度計測部１９が計測する照度について説明する。
【００６８】
図１２は本発明の第２の実施の形態における照度の補足説明図である。
【００６９】
照度とは、与えられた点を含む面要素に入射する光束を、その面要素の面積で割ったものである。そして、図１２に示されるように、労働安全衛生規則（第６０４条）によって作業に適した照度が設定されている。なお、参考として、オフィス内やデパート、スーパーマーケット等の店内は４５０〜７００ルクスとされている。
【００７０】
次に、前記ＲＡＭ部１３が保持する情報について説明する。
【００７１】
図１３は本発明の第２の実施の形態におけるＲＡＭ部の保持情報構成を示す図である。
【００７２】
本実施の形態において、前記ＲＡＭ部１３の保持情報構成は、図１３に示されるようになっている。ここで、１３ａはホストＰＣ２０からインターフェイス部１１を経由して受信した印刷データを蓄積する印刷データ受信バッファであり、１３ｂは受信した印刷データを印刷ハードウェアが印刷可能なデータに変換する印刷データ編集バッファであり、１３ｃは通常運用時に適用する印刷速度の設定を保持する通常印刷速度情報であり、１３ｅは照度によって印刷速度を指定するために必要となる情報によって構成される印刷速度指定照度情報である。
【００７３】
そして、前記通常印刷速度情報１３ｃは、高速又は低速のどちらかを示す情報が格納される形式であり、照度指定されていない通常の印刷を行う場合、高速であるときは１分間に２２枚、低速であるときは１分間に１２枚の印刷速度を印刷機構部１７に設定するような処理を行う。
【００７４】
また、前記印刷速度指定照度情報１３ｅは、指定照度の間、指定印刷速度によって印刷を行う機能の有効情報及び無効情報を格納する機能情報格納部、指定照度に適用する印刷速度の設定を保持する印刷速度格納部、並びに、該印刷速度格納部に格納された印刷速度情報を適用する照度を格納する照度格納部を有する。なお、本実施の形態において、前記照度格納部は、０〜９９９９ルクスを格納可能とする。
【００７５】
次に、前記ＲＯＭ部１４が保持する情報について説明する。
【００７６】
図１４は本発明の第２の実施の形態におけるＲＯＭ部の保持情報構成を示す図である。
【００７７】
本実施の形態において、前記ＲＯＭ部１４の保持情報構成は、図１４に示されるようになっている。ここで、１４ｅは印刷装置１０の電源投入時、ＲＡＭ部１３に各領域を確保するために必要となるＲＡＭ部領域情報であり、１４ｆは印刷装置１０の電源投入時、ＲＡＭ部１３の領域に格納する初期値としてのＲＡＭ部初期値情報であり、１４ｃは前記印刷機構部１７の印刷速度設定を得るための情報テーブルとしての印刷速度設定変換情報である。
【００７８】
そして、前記ＲＡＭ部領域情報１４ｅは、印刷データ受信バッファ領域部、印刷データ編集バッファ領域部、通常印刷速度情報領域部、並びに、ＲＡＭ部１３に確保する印刷速度指定照度情報１３ｅの配置場所及びサイズを固定値として保持する印刷速度指定照度情報領域部を有する。
【００７９】
また、前記ＲＡＭ部初期値情報１４ｆは、通常印刷速度情報初期値、及び、印刷速度指定照度情報１３ｅの初期値としての印刷速度指定照度情報初期値を有する。該印刷速度指定照度情報初期値には、機能情報格納部用に有効又は無効、印刷速度格納部用に高速又は低速、照度格納部用に０〜９９９９ルクス内の値が情報として格納され、具体的にどの値を初期値にするのかは印刷装置１０の納入先の要望によって決定される。
【００８０】
さらに、前記印刷速度設定変換情報１４ｃにおいては、通常印刷速度情報１３ｃ、及び、印刷速度指定照度情報１３ｅにある情報が高速である場合は１分間に２２枚、低速である場合は１分間に１２枚の印刷速度で印刷機構部１７が動作する設定値を得るように定義される。これにより、印刷速度内容が高速であった場合１分間に２２枚、低速であった場合１分間に１２枚の印刷速度設定を印刷機構部１７に対して行うことが可能となる。
【００８１】
次に、本実施の形態における印刷装置１０の動作について説明する。まず、該印刷装置１０の実行する処理工程について説明する。
【００８２】
図１５は本発明の第２の実施の形態における印刷装置の処理工程を示す図である。
【００８３】
本実施の形態において、印刷装置１０の実行する処理工程は、図１５に示されるように、ユーザ設定工程及び印刷処理工程に分けられ、印刷処理工程は更に印刷データ受信工程、照度計測工程、検出工程、印刷設定工程、印刷データ編集工程及び印刷工程に分けられる。
【００８４】
まず、ユーザ設定工程においては、通常印刷を行う場合の印刷速度の設定、印刷装置１０への照度が特定値以下になった際に適用する印刷速度の設定、その印刷速度の適用判定に用いる照度の設定、及び、照度が指定値以上になった際に印刷速度を設定したものにする機能自体の有効／無効を設定する。
【００８５】
印刷処理工程の印刷データ受信工程においては、印刷装置１０から印刷データが送られてきたことを判断し、印刷データを受信する。また、照度計測工程においては、照度を計測する。
【００８６】
次に、検出工程においては、前記ユーザ設定工程及び照度計測工程の情報に基づいて印刷速度を判断する。また、印刷設定工程においては、前記検出工程で検出した印刷速度指定を実際の印刷速度に適用するために印刷機構部１７に印刷速度設定を行う。
【００８７】
そして、印刷データ編集工程においては、受信した印刷データを印刷機構部１７で印刷可能なデータ形式に変換する。さらに、印刷工程においては、印刷機構部１７に印刷可能なデータを渡すことによって印刷を行う。
【００８８】
次に、印刷装置１０の電源投入時の動作について説明する。なお、説明中において、「」で括られたものはＲＡＭ部１３又はＲＯＭ部１４に確保された領域を指し、“”で括られたものはその領域に設定されるパラメータを示す。
【００８９】
図１６は本発明の第２の実施の形態における印刷装置の電源投入時の動作を示すフローチャートである。
【００９０】
電源が投入されると、印刷装置１０は、まず、ＲＯＭ部１４からＲＡＭ部領域情報１４ｅを読み出す。続いて、読み出したＲＡＭ部領域情報１４ｅに基づいて、ＲＡＭ部１３の領域確保を行う。この場合、「印刷データ受信バッファ１３ａ」、「印刷データ編集バッファ１３ｂ」「通常印刷速度情報１３ｃ」及び「印刷速度指定照度情報１３ｅ」の領域確保を行う。
【００９１】
続いて、印刷装置１０は、ＲＯＭ部１４からＲＡＭ部初期値情報１４ｆを読み出す。そして、ＲＡＭ部１３に確保した「通常印刷速度情報１３ｃ」及び「印刷速度指定照度情報１３ｅ」に初期値を格納して、処理を終了する。本実施の形態においては、「通常印刷速度情報１３ｃ」に“低速”を格納し、「印刷速度指定照度情報１３ｅ」内の「機能情報格納部」に“有効”を格納し、「印刷速度指定照度情報１３ｅ」内の「印刷速度格納部」に“高速”を格納し、「印刷速度指定照度情報１３ｅ」内の「照度格納部」に“００００”ルクスを格納するものとする。
【００９２】
次に、フローチャートについて説明する。
ステップＳ５１  ＲＯＭ部１４からＲＡＭ部領域情報１４ｅを読み出す。
ステップＳ５２  ＲＡＭ部１３の領域確保を行う。
ステップＳ５３  ＲＯＭ部１４からＲＡＭ部初期値情報１４ｆを読み出す。
ステップＳ５４  ＲＡＭ部１３に確保した通常印刷速度情報１３ｃ及び印刷速度指定照度情報１３ｅの初期値を格納し、処理を終了する。
【００９３】
次に、通常印刷速度を設定する動作について説明する。
【００９４】
図１７は本発明の第２の実施の形態における通常印刷速度を設定する際の操作パネル部のメッセージ表示装置が表示する画面の例を示す図、図１８は本発明の第２の実施の形態における通常印刷速度を設定する動作を示すフローチャートである。
【００９５】
まず、印刷装置１０は、操作パネル部１５のメッセージ表示装置に通常印刷に適用する印刷速度の選択を促すメッセージを表示する。そして、メッセージ表示装置の画面は、通常印刷速度の設定を行うために“低速”又は“高速”の選択画面に移行する。ユーザは、通常印刷速度の設定画面から“低速”又は“高速”の選択を行い、印刷速度“高速”又は“低速”のどちらかを選択する。なお、本実施の形態においては“低速”を選択したものとする。この場合、図１７に示されるようなメッセージがメッセージ表示装置の画面に表示される。
【００９６】
続いて、印刷装置１０は、入力された情報をＲＡＭ領域にある通常印刷速度部に格納する。すなわち、決定した設定を、ＲＡＭ部１３に確保された「通常印刷速度情報１３ｃ」領域に格納する。そして、通常印刷速度の入力が完了すると、設定画面を終了する。ここで、ＲＯＭ部１４がフラッシュメモリ等の書き換え可能なものである場合には、印刷装置１０の電源を再投入した後も同じ設定になるように、ＲＯＭ部１４の「ＲＡＭ部初期値情報１４ｆ」を書き換えてもよい。
【００９７】
次に、フローチャートについて説明する。
ステップＳ６１  操作パネル部１５から通常印刷に適用する印刷速度の選択を促すメッセージを表示する。
ステップＳ６２  印刷速度“高速”又は“低速”のどちらかを選択する。
ステップＳ６３  入力された情報をＲＡＭ領域にある通常印刷速度部に格納し、処理を終了する。
【００９８】
次に、印刷速度指定照度を設定する動作について説明する。
【００９９】
図１９は本発明の第２の実施の形態における印刷速度指定照度を設定する際の操作パネル部のメッセージ表示装置が表示する画面の例を示す図、図２０は本発明の第２の実施の形態における印刷速度指定照度を設定する動作を示すフローチャートである。
【０１００】
まず、印刷装置１０は、操作パネル部１５のメッセージ表示装置に印刷速度指定照度の機能を有効又は無効にする選択画面を表示する。そして、メッセージ表示装置の画面は、印刷速度指定照度の機能を有効又は無効にするか否かの選択画面に移行する。ユーザは、機能を“有効”にするか、又は、“無効”にするかのどちらかを選択する。ここで、印刷速度指定照度の機能を有効にする場合は“有効”を選択し、無効にする場合は“無効”を選択する。なお、本実施の形態においては、“有効”を選択したものとする。この場合、図１９（ａ）に示されるようなメッセージがメッセージ表示装置の画面に表示される。
【０１０１】
続いて、印刷装置１０は、入力された機能の有効・無効情報を所定のＲＡＭ部１３の領域に記憶する。すなわち、ユーザが決定した印刷速度設定は、ＲＡＭ部１３に確保された「印刷速度指定照度情報１３ｅ」領域の「機能情報格納部」に格納する。そして、印刷装置１０は、有効”を選択したか否かを判断する。ここで、“有効”を選択していない場合、すなわち、“無効”を示す情報を格納した場合、印刷装置１０は、以降の設定を行わず、設定処理を終了する。
【０１０２】
また、印刷速度指定照度の機能選択表示で“有効”を選択した場合には、印刷速度の選択表示に移行する。そして、印刷装置１０は、操作パネル部１５のメッセージ表示装置に、照度に適用したい印刷速度の選択を促すメッセージを表示する。ユーザは、印刷速度を“高速”にするか、又は、“低速”にするかのどちらかを選択する。そして、印刷速度を高速にする場合は“高速”を選択し、低速にする場合は“低速”を選択する。本実施の形態においては、“高速”を選択したものとする。この場合、図１９（ｂ）に示されるようなメッセージがメッセージ表示装置の画面に表示される。
【０１０３】
続いて、印刷装置１０は、入力された情報をＲＡＭ部１３の領域にある印刷速度指定照度情報１３ｅの印刷速度格納部に格納する。すなわち、ユーザが決定した印刷速度設定は、ＲＡＭ部１３に確保された「印刷速度指定照度情報１３ｅ」領域の「印刷速度格納部」に格納される。
【０１０４】
そして、印刷速度設定表示で印刷速度を決定した後、その印刷速度を有効とする照度の入力待ち表示に移行する。この場合、印刷装置１０は、操作パネル部１５のメッセージ表示装置に、指定した印刷速度で印字させたい照度の上限値入力を促すメッセージを表示する。そして、図１９（ｃ）に示されるようなメッセージがメッセージ表示装置の画面に表示される。
【０１０５】
続いて、ユーザは照度を入力する。そして、照度として０〜９９９９の範囲で値を入力する。なお、入力する単位はルクスとし、印刷開始時の照度がこの照度入力値以下の場合に印刷速度指定が有効となる。本実施の形態においては、“０１００”ルクスを入力したものとする。この場合、図１９（ｄ）に示されるようなメッセージがメッセージ表示装置の画面に表示される。
【０１０６】
続いて、印刷装置１０は、入力された情報をＲＡＭ部１３の領域にある印刷速度指定照度情報１３ｅの照度格納部に格納する。すなわち、ユーザが決定した“照度”は、ＲＡＭ部１３に確保された「印刷速度指定照度情報１３ｅ」領域の「照度格納部」に格納される。このように、照度設定表示で“照度”の入力を完了すると、設定画面を終了する。ここで、ＲＯＭ部１４がフラッシュメモリ等の書き換え可能なものである場合は、印刷装置１０の電源を再投入した後も同じ設定になるようにＲＯＭ部１４の「ＲＡＭ部初期値情報１４ｆ」を書き換えてもよい。
【０１０７】
次に、フローチャートについて説明する。
ステップＳ７１  操作パネル部１５から印刷速度指定照度の機能を有効又は無効にする選択画面を表示させる。
ステップＳ７２  機能を“有効”又は“無効”のどちらかを選択する。
ステップＳ７３  入力された機能の有効・無効情報を所定のＲＡＭ部１３の領域に記憶する。
ステップＳ７４  “有効”を選択したか否かを判断する。“有効”を選択した場合はステップＳ７５に進み、“有効”を選択していない場合は処理を終了する。
ステップＳ７５  照度に適用したい印刷速度の選択を促すメッセージを表示する。
ステップＳ７６  印刷速度を“高速”又は“低速”のどちらかを選択する。
ステップＳ７７  入力された情報をＲＡＭ部１３の領域にある印刷速度指定照度情報１３ｅの印刷速度格納部に格納する。
ステップＳ７８  指定した印刷速度で印字させたい照度の上限値入力を促すメッセージを表示する。
ステップＳ７９  照度を入力する。
ステップＳ８０  入力された情報をＲＡＭ部１３の領域にある印刷速度指定照度情報１３ｅの照度格納部に格納し、処理を終了する。
【０１０８】
次に、受信印刷データの印刷を行う動作について説明する。
【０１０９】
図２１は本発明の第２の実施の形態における受信印刷データの印刷を行う動作を示すフローチャートである。
【０１１０】
まず、印刷装置１０は、インターフェイス部１１を経由してホストＰＣ２０から印刷データが送られてくるのを監視する。すなわち、印刷データの受信を開始したか否かの判断を繰り返して行い、ホストＰＣ２０からの印刷データの受信を待機する。そして、印刷装置１０は、印刷データの受信を開始したと判断すると、すなわち、ホストＰＣ２０から印刷データが送られてきたことを検出すると、印刷データ受信バッファ１３ａに蓄積を開始する。
【０１１１】
続いて、印刷装置１０は、印刷速度指定照度の機能が有効であるか否かを判断する。この場合、ＲＡＭ部１３の「印刷速度指定照度情報１３ｅ」内に格納されている「機能情報」を読み出し、それが“有効”に設定されているか否かを判断する。そして、印刷速度指定照度の機能が有効である場合、すなわち、「機能情報」が“有効”に設定されている場合、印刷装置１０は、現在の照度が設定した照度以下であるか否かを判断する。この場合、ＲＡＭ部１３の「印刷速度指定照度情報１３ｅ」内の「照度格納部」に格納されている“照度”を読み出し、さらに、照度計測部１９のフォトダイオードの電流から算出した現在の照度との比較を行い、現在の照度がＲＡＭ部１３の「印刷速度指定照度情報１３ｅ」内の「照度格納部」に格納されている値より低いか否かを判断する。本実施の形態においては、現在の照度を５０ルクスとし、設定は“０１００”ルクスとする。
【０１１２】
続いて、現在の照度が設定した照度以下である場合、印刷装置１０は、印刷速度指定照度情報１３e 内の印刷速度が低速であるか否かを判断する。そして、印刷速度が低速である場合、印刷機構部１７の印刷速度を“低速”に該当する速度に設定する。また、印刷速度が低速でない場合、印刷機構部１７の印刷速度を“高速”に該当する速度に設定する。ここで、印刷装置１０は、ＲＡＭ部１３にある「印刷速度指定照度情報１３ｅ」内の「印刷速度」を読み出し、その情報をＲＯＭ部１４にある「印刷速度設定変換情報１４ｃ」と照合することによって獲得した印刷機構部用の印刷速度設定を印刷機構部１７に設定する。これにより、ＲＡＭ部１３にある「印刷速度指定照度情報１３ｅ」内の「印刷速度」が“高速”である場合は、例えば、１分間に２２枚の印刷速度、“低速”である場合は、例えば、１分間に１２枚の印刷速度になる。
【０１１３】
なお、印刷速度指定照度の機能が有効であるか否かを判断して無効である場合、すなわち、ＲＡＭ部１３の「印刷速度指定照度情報１３ｅ」内に格納されている「機能情報」が“無効”に設定されている場合、並びに、現在の照度が設定した照度以下であるか否かを判断して設定した照度以下でない場合、すなわち、照度計測部１９から読み出した現在の照度がＲＡＭ部１３にある「印刷速度指定照度情報１３ｅ」内に格納されている“照度”よりも高い場合、印刷装置１０は、通常印刷速度設定の印刷速度が高速であるか否かを判断する。そして、印刷速度が低速である場合、印刷機構部１７の印刷速度を“低速”に該当する速度に設定する。また、印刷速度が低速でない場合、印刷機構部１７の印刷速度を“高速”に該当する速度に設定する。この場合、印刷装置１０は、ＲＡＭ部１３にある「通常印刷速度情報１３ｃ」内の「印刷速度」を読み出し、その情報をＲＯＭ部１４にある「印刷速度設定変換情報１４ｃ」と照合することによって獲得した印刷機構部用の印刷速度設定を印刷機構部１７に設定する。これにより、ＲＡＭ部１３にある「通常印刷速度情報１３ｃ」内の「印刷速度」が“高速”である場合は、例えば、１分間に２２枚の印刷速度、“低速”である場合は、例えば、１分間に１２枚の印刷速度になる。
【０１１４】
そして、印刷機構部１７に印刷速度を設定した後、印刷装置１０は、蓄積された「印刷データ受信バッファ１３ａ」の内容を「印刷データ編集バッファ１３ｂ」上で編集する。続いて、印刷機構部１７が「印刷データ編集バッファ１３ｂ」内のデータを指定印刷速度で印刷を行い、処理を終了する。この場合、印刷データ受信バッファ１３ａ内に蓄積されているデータを適宜印刷データ編集バッファ１３ｂ上に取り出し、印刷機構部１７にある印刷ハードウェアで印刷可能なデータに変換した後、印刷機構部１７に渡すことによって印刷を行う。
【０１１５】
次に、フローチャートについて説明する。
ステップＳ８１  印刷データの受信を開始したか否かを判断する。印刷データの受信を開始した場合はステップＳ８２に進み、印刷データの受信を開始していない場合は印刷データの受信を待機する。
ステップＳ８２  受信データを「印刷データ受信バッファ１３ａ」に蓄積を開始する。
ステップＳ８３  印刷速度指定照度の機能が有効であるか否かを判断する。印刷速度指定照度の機能が有効である場合はステップＳ８４に進み、印刷速度指定照度の機能が有効でない場合はステップＳ８６に進む。
ステップＳ８４  現在の照度が設定した照度以下であるか否かを判断する。現在の照度が設定した照度以下である場合はステップＳ８５に進み、現在の照度が設定した照度より高い場合はステップＳ８６に進む。
ステップＳ８５  印刷速度指定照度情報１３ｅ内の印刷速度が低速であるか否かを判断する。印刷速度指定照度情報１３ｅ内の印刷速度が低速である場合はステップＳ８７に進み、印刷速度指定照度情報１３ｅ内の印刷速度が低速でない場合はステップＳ８８に進む。
ステップＳ８６  通常印刷速度設定の印刷速度が高速であるか否かを判断する。通常印刷速度設定の印刷速度が高速である場合はステップＳ８８に進み、通常印刷速度設定の印刷速度が高速でない場合はステップＳ８７に進む。
ステップＳ８７  印刷機構部１７の印刷速度を“低速”に該当する速度に設定する。
ステップＳ８８  印刷機構部１７の印刷速度を“高速”に該当する速度に設定する。
ステップＳ８９  蓄積された「印刷データ受信バッファ１３ａ」の内容を「印刷データ編集バッファ１３ｂ」上で編集する。
ステップＳ９０  「印刷データ編集バッファ１３ｂ」内のデータを指定印刷速度で印刷機構部１７が印刷を行い、処理を終了する。
【０１１６】
このように、本実施の形態においては、各ユーザの要望に合わせ、印刷装置１０付近の照度に応じて印刷速度を設定することができるようになっている。そのため、印刷装置１０付近に該印刷装置１０のユーザだけでなく他の作業者も存在しているような場合は、印刷装置１０の印刷速度を低く抑える設定を行うことによって、印刷装置１０の騒音が低減し、付近にいる作業者への不快感を抑えることができる。すなわち、印刷装置１０付近に該印刷装置１０のユーザだけでなく他の作業者も混在している場合は作業に支障がないように照明を点灯するのが一般的であり、逆に、印刷装置１０付近に作業者がいない場合は照明が消されていることがほとんどである。そのため、印刷装置１０付近の照度が一定より明るい場合は印刷装置１０の印刷速度を低く抑える設定を行うことによって、印刷装置１０の騒音が低減し、付近にいる作業者への不快感を抑えることができる。
【０１１７】
また、印刷装置１０付近に作業者がいるときは、印刷装置１０にジャム等の障害が発生しても障害をすぐに排除して印刷装置１０を復旧させることができるので、印刷装置１０付近に作業者がいて印刷装置１０付近の照度が一定より明るい場合には高速印字に設定し、それ以外の場合は障害発生率を低く抑える目的で低速印字に設定することもできる。
【０１１８】
なお、本発明は前記実施の形態に限定されるものではなく、本発明の趣旨に基づいて種々変形させることが可能であり、それらを本発明の範囲から排除するものではない。
【図面の簡単な説明】
【０１１９】
【図１】本発明の第１の実施の形態における印刷装置の構成を示すブロック図である。
【図２】本発明の第１の実施の形態におけるＲＡＭ部の保持情報構成を示す図である。
【図３】本発明の第１の実施の形態におけるＲＯＭ部の保持情報構成を示す図である。
【図４】本発明の第１の実施の形態における印刷装置の処理工程を示す図である。
【図５】本発明の第１の実施の形態における印刷装置の電源投入時の動作を示すフローチャートである。
【図６】本発明の第１の実施の形態における通常印刷速度を設定する際の操作パネル部のメッセージ表示装置が表示する画面の例を示す図である。
【図７】本発明の第１の実施の形態における通常印刷速度を設定する動作を示すフローチャートである。
【図８】本発明の第１の実施の形態における印刷速度指定時間帯を設定する際の操作パネル部のメッセージ表示装置が表示する画面の例を示す図である。
【図９】本発明の第１の実施の形態における印刷速度指定時間帯を設定する動作を示すフローチャートである。
【図１０】本発明の第１の実施の形態における受信印刷データの印刷を行う動作を示すフローチャートである。
【図１１】本発明の第２の実施の形態における印刷装置の構成を示すブロック図である。
【図１２】本発明の第２の実施の形態における照度の補足説明図である。
【図１３】本発明の第２の実施の形態におけるＲＡＭ部の保持情報構成を示す図である。
【図１４】本発明の第２の実施の形態におけるＲＯＭ部の保持情報構成を示す図である。
【図１５】本発明の第２の実施の形態における印刷装置の処理工程を示す図である。
【図１６】本発明の第２の実施の形態における印刷装置の電源投入時の動作を示すフローチャートである。
【図１７】本発明の第２の実施の形態における通常印刷速度を設定する際の操作パネル部のメッセージ表示装置が表示する画面の例を示す図である。
【図１８】本発明の第２の実施の形態における通常印刷速度を設定する動作を示すフローチャートである。
【図１９】本発明の第２の実施の形態における印刷速度指定照度を設定する際の操作パネル部のメッセージ表示装置が表示する画面の例を示す図である。
【図２０】本発明の第２の実施の形態における印刷速度指定照度を設定する動作を示すフローチャートである。
【図２１】本発明の第２の実施の形態における受信印刷データの印刷を行う動作を示すフローチャートである。
【符号の説明】
【０１２０】
１０    印刷装置
１２    ＣＰＵ部
１３    ＲＡＭ部
１４    ＲＯＭ部
１６    計時部
１７    印刷機構部
１９    照度計測部
【図１】
2006240103.tif 000003
【図２】
2006240103.tif 000004
【図３】
2006240103.tif 000005
【図４】
2006240103.tif 000006
【図５】
2006240103.tif 000007
【図６】
2006240103.tif 000008
【図７】
2006240103.tif 000009
【図８】
2006240103.tif 000010
【図９】
2006240103.tif 000011
【図１０】
2006240103.tif 000012
【図１１】
2006240103.tif 000013
【図１２】
2006240103.tif 000014
【図１３】
2006240103.tif 000015
【図１４】
2006240103.tif 000016
【図１５】
2006240103.tif 000017
【図１６】
2006240103.tif 000018
【図１７】
2006240103.tif 000019
【図１８】
2006240103.tif 000020
【図１９】
2006240103.tif 000021
【図２０】
2006240103.tif 000022
【図２１】
2006240103.tif 000023